(57)【要約】      （修正有）【課題】簡単な操作で、塗布液を毛髪や頭、顔の皮膚の必要とする場所へ十分かつ適量塗布することができる液塗布用具の提供。【解決手段】容器本体１０に貯留する液を吐出させて塗布する液塗布用具１であり、液を吐出する吐出ノズル３０と、容器本体１０に貯留する液を吐出ノズル３０から吐出させるポンプ２１と、吐出ノズル３０から吐出する液を塗布する塗布部５０とを備え、塗布部５０は、吐出ノズル３０の周囲に塗布部材５１を有し、吐出ノズル３０から吐出する液を塗布部材５１により塗布するように構成した。【選択図】図２
2016059431.tif 000002
【特許請求の範囲】
【請求項１】
容器本体に貯留する液を吐出させて塗布する液塗布用具であり、
液を吐出する吐出ノズルと、
前記容器本体に貯留する液を前記吐出ノズルから吐出させるポンプと、
前記吐出ノズルから吐出する液を塗布する塗布部と、を備え、
前記塗布部は、前記吐出ノズルの周囲に塗布部材を有し、
前記吐出ノズルから吐出する液を前記塗布部材により塗布するように構成したことを特徴とする液塗布用具。 
【請求項２】
吐出させる液の量を調整する吐出液量調整手段を備えることを特徴とする請求項１に記載の液塗布用具。
【請求項３】
液を吐出させながら前記吐出ノズルを移動させる吐出ノズル移動手段を備えることを特徴とする請求項１または請求項１に記載の液塗布用具。
【請求項４】
前記吐出ノズルは、液を拡散状態または噴霧状態で吐出させる吐出部を有することを特徴とする請求項１乃至請求項３のいずれか１項に記載の液塗布用具。
【請求項５】
前記塗布部材は、ブラシまたはコームであることを特徴とする請求項１乃至請求項４のいずれか１項に記載の液塗布用具。
【請求項６】
容器本体に貯留する液を吐出させて塗布する液塗布用具であり、
液を吐出する吐出ノズルと、
前記容器本体に貯留する液を前記吐出ノズルから吐出させるポンプと、
前記吐出ノズルから吐出する液を塗布する塗布部と、を備え、
前記塗布部は、前記吐出ノズルを中心として周囲に延びる複数本の可とう性材料で成形された刺激部を有し、
前記吐出ノズルから吐出する液を前記刺激部により塗布すると共に塗布箇所をマッサージするように構成したことを特徴とする液塗布用具。
【発明の詳細な説明】
【技術分野】
【０００１】
この発明は、育毛剤や整髪料、洗浄剤、化粧剤、美容剤等の塗布液を毛髪や頭、顔の皮膚の必要とする場所へ適量塗布することのできる液塗布用具に関する。
【背景技術】
【０００２】
泡状整髪料等の塗布液を毛髪に塗布するようにしたものとして、特開平１０−３３２６５号公報に開示され、このものは、ブラシの毛の先端に栓が設けられ、栓を棒状体として、ブラシで頭皮を叩いてマッサージする時に、栓が引っ込んで塗布液が塗布される。さらに、頭髪への育毛剤や頭皮痛み保護のトニック液などの塗布液を塗布する点滴用具があり、この点滴用具は瓶口元中栓の中心孔から塗布液を頭髪や頭皮に手で振りかけている。また、特許第４７５３２３３号公報に開示されるものがあり、このものは、塗布液を計量室で計量し、押込み棒を頭皮に押し当てたときのみ計量室の塗布液を塗布する。
【先行技術文献】
【特許文献】
【０００３】
【特許文献１】特開平１０−３３２６５号公報
【特許文献２】特許第４７５３２３３号公報
【発明の概要】
【発明が解決しようとする課題】
【０００４】
しかしながら、栓を棒状体として、ブラシで頭皮を叩いてマッサージする時に、栓が引っ込んで塗布液が塗布されるため、塗布液を十分に塗布することができない。一方、点滴用具では、上から下に振って頭部寸前で自分で止めるために振られた反応に反動で頭部に当たり、怪我をしてしまう虞がある。また、振り方加減で塗布液の出が大きくバラつき多く出しすぎると顔にまで流れて刺激が大きい塗布液であるが故に顔皮膚を痛めてしまい、仮に少量だと何回も繰り返しを余技なくされ、頭皮の毛穴に塗布液を浸透させることはできなかった。また、塗布液を計量室で計量し、押込み棒を頭皮に押し当てたときのみ計量室の塗布液を塗布するものは、計量された量しか塗布することができなかった。
【０００５】
この発明は、これら従来の問題点を解消し、簡単な操作で、塗布液を毛髪や頭、顔の皮膚の必要とする場所へ十分かつ適量塗布することができる液塗布用具を提供することを目的とするものである。
【課題を解決するための手段】
【０００６】
前記課題を解決し、かつ目的を達成するために、この発明は、以下のように構成した。
【０００７】
請求項１に記載の発明は、容器本体に貯留する液を吐出させて塗布する液塗布用具であり、
液を吐出する吐出ノズルと、
前記容器本体に貯留する液を前記吐出ノズルから吐出させるポンプと、
前記吐出ノズルから吐出する液を塗布する塗布部と、を備え、
前記塗布部は、前記吐出ノズルの周囲に塗布部材を有し、
前記吐出ノズルから吐出する液を前記塗布部材により塗布するように構成したことを特徴とする液塗布用具である。
【０００８】
請求項２に記載の発明は、吐出させる液の量を調整する吐出液量調整手段を備えることを特徴とする請求項１に記載の液塗布用具である。
【０００９】
請求項３に記載の発明は、液を吐出させながら前記吐出ノズルを移動させる吐出ノズル移動手段を備えることを特徴とする請求項１または請求項１に記載の液塗布用具である。
【００１０】
請求項４に記載の発明は、前記吐出ノズルは、液を拡散状態または噴霧状態で吐出させる吐出部を有することを特徴とする請求項１乃至請求項３のいずれか１項に記載の液塗布用具である。
【００１１】
請求項５に記載の発明は、前記塗布部材は、ブラシまたはコームであることを特徴とする請求項１乃至請求項４のいずれか１項に記載の液塗布用具である。
【００１２】
請求項６に記載の発明は、容器本体に貯留する液を吐出させて塗布する液塗布用具であり、
液を吐出する吐出ノズルと、
前記容器本体に貯留する液を前記吐出ノズルから吐出させるポンプと、
前記吐出ノズルから吐出する液を塗布する塗布部と、を備え、
前記塗布部は、前記吐出ノズルを中心として周囲に延びる複数本の可とう性材料で成形された刺激部を有し、
前記吐出ノズルから吐出する液を前記刺激部により塗布すると共に塗布箇所をマッサージするように構成したことを特徴とする液塗布用具である。
【発明の効果】
【００１３】
前記構成により、この発明は、以下のような効果を有する。
【００１４】
請求項１に記載の発明では、ポンプにより容器本体に貯留する液を吐出ノズルから吐出させ、吐出ノズルから吐出する液を塗布部の塗布部材により塗布することで、いかなる使用状態においても簡単な操作で、液を毛髪や頭、顔の皮膚の必要とする場所へ十分かつ適量塗布することができる。
【００１５】
請求項２に記載の発明では、使用状態において液の吐出液量を調整することで、液を毛髪や頭、顔の皮膚の必要とする場所へ十分かつ適量塗布することができる。
【００１６】
請求項３に記載の発明では、液を吐出させながら吐出ノズルを移動させることで、液を毛髪や頭、顔の皮膚の必要とする場所へ十分かつ適量塗布することができる。
【００１７】
請求項４に記載の発明では、液を拡散状態または噴霧状態で吐出させることで、液を毛髪や頭、顔の皮膚の必要とする場所へ塗布むらなく塗布することができる。
【００１８】
請求項５に記載の発明では、ブラシまたはコームを用いることで、吐出ノズルから吐出させる液を、液を毛髪や頭、顔の皮膚の必要とする場所へ塗布することができる。
【００１９】
請求項６に記載の発明では、塗布部は、吐出ノズルを中心として周囲に延びる複数本の可とう性材料で成形された刺激部を有し、吐出ノズルから吐出する液を刺激部により塗布すると共に塗布箇所をマッサージすることができる。
【図面の簡単な説明】
【００２０】
【図１】第１の実施の形態の液塗布用具の正面図である。
【図２】液塗布用具の側面図である。
【図３】液塗布用具の背面図である。
【図４】液塗布用具の分解斜視図である。
【図５】ポンプを示す図である。
【図６】液量調整手段を示す図である。
【図７】他のポンプユニットの構成を示す図である。
【図８】他のポンプユニットの構成を示す図である。
【図９】他のポンプユニットの構成を示す図である。
【図１０】他のポンプユニットの構成を示す図である。
【図１１】他のポンプユニットの構成を示す図である。
【図１２】他のポンプユニットの構成を示す図である。
【図１３】他のポンプユニットの構成を示す図である。
【図１４】他の吐出ノズルの構成を示す図である。
【図１５】他の吐出ノズルの構成を示す図である。
【図１６】他の吐出ノズルの構成を示す図である。
【図１７】他の吐出ノズルの構成を示す図である。
【図１８】他の吐出ノズルの構成を示す図である。
【図１９】他の吐出ノズルの構成を示す図である。
【図２０】他の吐出ノズルの構成を示す図である。
【図２１】他の吐出ノズルの構成を示す図である。
【図２２】他の吐出ノズルの構成を示す図である。
【図２３】他の吐出ノズルの構成を示す図である。
【図２４】他の吐出ノズルの構成を示す図である。
【図２５】他の塗布部の構成を示す図である。
【図２６】他の塗布部の構成を示す図である。
【図２７】他の塗布部の構成を示す図である。
【図２８】他の塗布部の構成を示す図である。
【図２９】他の塗布部の構成を示す図である。
【図３０】第２の実施の形態の液塗布用具を示す図である。
【発明を実施するための形態】
【００２１】
以下、この発明の液塗布用具の実施の形態について説明する。この発明の実施の形態は、発明の最も好ましい形態を示すものであり、この発明はこれに限定されない。この液塗布用具は、育毛剤や整髪料、洗浄剤、化粧剤、美容剤等の液を貯留しており、これらの液を適量塗布するものである。
【００２２】
（第１の実施の形態の液塗布用具の構成）
この実施の形態の液塗布用具は、図１乃至図６に示すように構成される。図１は液塗布用具の正面図、図２は液塗布用具の側面図、図３は液塗布用具の背面図、図４は液塗布用具の分解斜視図、図５はポンプを示す図、図６は液量調整手段を示す図である。この液塗布用具１は容器本体１０に貯留する液を吐出させて塗布するものであり、容器本体１０にはポンプユニット２０が組み付けられている。
【００２３】
ポンプユニット２０はポンプ２１、ポンプホース２２、ポンプパイプ２３、ポンプヘッド２４、ポンプキャップ２５を有し、ポンプキャップ２５によって容器本体１０に着脱可能に組み付けられている。ポンプ２１を駆動するポンプパイプ２３からポンプヘッド２４に連通して液通路２６が形成されており、ポンプヘッド２４には液を吐出する吐出ノズル３０が連結され、液通路２６が吐出ノズル３０の吐出通路３０ａと連通している。ポンプヘッド２４を押すことで、ポンプパイプ２３を介してポンプ２１が駆動し、容器本体１０に貯留する液を、ポンプホース２２を介して液通路２６から吐出ノズル３０の吐出通路３０ａへ送り、吐出通路３０ａから吐出させる。
【００２４】
ポンプ２１は図５に示すように構成され、図５（ａ）は初期状態を示し、図５（ｂ）は押し状態を示し、図５（ｃ）は戻し状態を示す。この実施の形態のポンプ２１はポンプ本体２１ａにポンプパイプ２３がシール材２１ｃ，２１ｄを介して移動可能に支持されている。ポンプパイプ２３には中棒２１ｅが挿入され、中棒２１ｅの端部に弁部２１ｅ１が形成され、この弁部２１ｅ１はシール材２１ｄに形成された導入通路２１ｄ１を開閉する。中棒２１ｅには軸方向に液溝２１ｅ２が形成され、導入通路２１ｄ１から導入された薬液をポンプパイプ２３に形成された液通路２６に導く。ポンプ本体２１ａには開閉弁２１ｆが形成されている。ポンプパイプ２３の鍔部２３ａとシール材２１ｄとの間にはスプリング２１ｇが設けられ、ポンプパイプ２３に設けられた中棒２１ｅの弁部２１ｅ１はシール材２１ｄの導入通路２１ｄ１を閉じるように付勢する。ポンプパイプ２３と中棒２１ｅは一体に移動するように組み付けられている。
【００２５】
図５（ａ）の初期状態ではスプリング２１ｇによりポンプパイプ２３が付勢され、中棒２１ｅの弁部２１ｅ１はシール材２１ｄの導入通路２１ｄ１を閉じると共に、開閉弁２１ｆが閉じている。ポンプパイプ２３が押された図５（ｂ）の押し状態ではポンプパイプ２３と共に中棒２１ｅが移動し、弁部２１ｅ１はシール材２１ｄの導入通路２１ｄ１を開く。この中棒２１ｅの移動によりパイプ内液室２１ｈの薬液の圧力が上昇し、開閉弁２１ｆが閉じ、薬液が導入通路２１ｄ１に導入される。薬液は中棒２１ｅの液溝２１ｅ２からポンプパイプ２３の液通路２６を通り吐出する。
【００２６】
ポンプパイプ２３を押すことが解除されると、ポンプパイプ２３が初期状態に戻り、図５（ｃ）の戻し状態ではポンプパイプ２３と共に中棒２１ｅが移動して戻り、弁部２１ｅ１がシール材２１ｄの導入通路２１ｄ１を閉じ。この中棒２１ｅの移動によりパイプ内液室２１ｈの薬液の圧力が下がり、開閉弁２１ｆが開き、パイプ内液室２１ｈに薬液が導入される。ポンプパイプ２３が押されると図５（ｂ）の押し状態になり、薬液が中棒２１ｅの液溝２１ｅ２からポンプパイプ２３の液通路２６を通り吐出させる。
【００２７】
ポンプヘッド２４には、吐出ノズル３０が設けられ、ポンプヘッド２４を押す操作によって吐出ノズル３０が一体に移動しながら液を吐出し、これらによって液を吐出させながら吐出ノズル３０を移動させる吐出ノズル移動手段Ａが構成される。この吐出ノズル移動手段Ａによって液を吐出させながら吐出ノズル３０を移動させることで、液を毛髪や頭、顔の皮膚の必要とする場所へ十分かつ適量塗布することができる。
【００２８】
ポンプユニット２０には吐出させる液の量を調整する吐出液量調整手段Ｂが備えられており、吐出液量調整手段Ｂは使用状態において液の吐出液量を調整し、液を毛髪や頭、顔の皮膚の必要とする場所へ十分かつ適量塗布することができる。この吐出液量調整手段Ｂは図６に示すように調整リング４０と調整凸部４１から構成される。図６（ａ）は調整リングと調整凸部の取付状態を示すポンプユニットの側面図、図６（ｂ）は調整リングの側面図、図６（ｃ）は調整リングの展開図であり、調整リング４０はポンプパイプ２３に回動可能に設けられ、調整凸部４１は操作部２４に固定される。調整リング４０は第１調整部４０ａ、第２調整部４０ｂ、第３調整部４０ｃ、第４調整部４０ｄが階段状に形成され、さらに回転ノブ４０ｅが形成されている。調整リング４０を回転ノブ４０ｅによって回転し、調整凸部４１の位置に第１調整部４０ａから第４調整部４０ｄのいずれかを対応させることで、調整凸部４１の位置に対応させた第１調整部４０ａから第４調整部４０ｄのいずれかが調整凸部４１と当接し、ポンプヘッド２４の操作ストロークを調整することができる。例えば調整凸部４１の位置に第１調整部４０ａを対応させると、ポンプヘッド２４の操作ストロークが長く、吐出液量が最も多くなり、調整凸部４１の位置に第４調整部４０ｄを対応させると、ポンプヘッド２４の操作ストロークが短く、吐出液量が最も少なくなる。
【００２９】
この液塗布用具１は吐出ノズル３０から吐出する液を塗布する塗布部５０を備えており、塗布部５０は吐出ノズル３０の周囲に配置される塗布部材５１を有し、吐出ノズル３０から吐出する液を塗布部材５１により塗布するように構成される。塗布部材５１は塗布台５２に設けられ、塗布台５２は台柱５３の係合部５３ａに組み付けて設けられ、この台柱５３はポンプキャップ２５に固定されている。この実施の形態では塗布部材５１がブラシであるが、コームを用いてもよい。吐出ノズル３０の先端部３０ｃは塗布台５２に形成されたガイド孔５２ａから突出しており、ガイド孔５２ａは吐出ノズル３０の移動を許容する。
【００３０】
この実施の形態では、ポンプユニット２０のポンプ２１の駆動により容器本体１０に貯留する液を吐出ノズル３０から吐出させ、吐出ノズル３０から吐出する液を塗布部５０の塗布部材５１により塗布することで、いかなる使用状態においても簡単な操作で、液を毛髪や頭、顔の皮膚の必要とする場所へ十分かつ適量塗布することができる。
【００３１】
（他のポンプユニットの構成）
他のポンプユニットの構成を、図７乃至図１３に基づいて説明する。図１乃至図６の実施の形態と同じ構成は、同じ符号を付して説明を省略する。図７の実施の形態ではポンプパイプ２３に液通路２６を設けないで、ポンプ２１に吐出パイプ６０を接続して吐出ノズル３０から吐出させる構成である。吐出ノズル３０には、吐出孔３０ａ１を複数個設け、それぞれの吐出孔３０ａ１から液を吐出させる。
【００３２】
図８の実施の形態では図８（ａ）が操作前の状態を示し、図８（ｂ）が操作時の状態を示し、台柱５３に支持ピン６１を固定し、ポンプ操作レバー６２が支持ピン６１を支点にして操作可能に設けられている。ポンプ操作レバー６２の凹部６２ａをポンプパイプ２３に固定した操作ピン２７に当接し、ポンプ操作レバー６２によってポンプパイプ２３をストロークさせ、ポンプヘッド２４もポンプパイプ２３と一緒に移動する。図８（ｃ）はポンプ操作レバーの他の形態を示し、ポンプ操作レバー６２は図８（ａ）乃至図８（ｃ）に示すように指で押す部分６２ｂをポンプパイプ２３側に曲げた構造であり、指で押す部分６２ｂが外側に突出することがなくコンパクトで、しかもポンプパイプ２３の方向へ容易に押すことができ操作が容易である。
【００３３】
図９の実施の形態では図９（ａ）が操作前の状態を示し、図９（ｂ）が操作時の状態を示し、ポンプ操作レバー６２は図８の実施の形態と同様に設けられるが、ポンプヘッド２４が台柱５３に固定され、ポンプヘッド２４にポンプパイプ２３を移動可能に接続し、ポンプ操作レバー６２をポンプパイプ２３に固定した操作ピン２７に当接し、ポンプ操作レバー６２によってポンプパイプ２３をストロークさせ、ポンプヘッド２４は移動しない構成である。
【００３４】
図１０の実施の形態では図１０（ａ）は液塗布用具の背面を示し、ポンプ操作レバー６２を台柱５３の支持ピン６１に支点にして操作可能に設け、ポンプ操作レバー６２の押し部６２ｃをポンプヘッド２４に当接し、ポンプ操作レバー６２によってポンプヘッド２４を押してポンプパイプ２３をストロークさせる。ポンプ操作レバー６２の押し部６２ｃは強度を有する金属または樹脂を使用したり、図１０（ｂ）に示すようにボールベアリング６３を嵌め込むことで、押し部６２ｃで押す際のセンターずれによる平面の摩擦抵抗を少なくして耐久性を向上させることができる。
【００３５】
図１１の実施の形態ではレバー支持支柱６４を設け、ポンプ操作レバー６２をレバー支持支柱６４に操作可能に設け、ポンプ操作レバー６２を横方向から押す操作によってポンプヘッド２４を押してポンプパイプ２３をストロークさせる。
【００３６】
図１２の実施の形態ではレバー支持支柱６５を設け、ポンプ操作レバー６２をレバー支持支柱６５に操作可能に設け、ポンプ操作レバー６２を横方向から押す操作によってポンプパイプ２３をストロークさせる。
【００３７】
図１３の実施の形態では台座５２を固定した台柱５３を中空構造とし、この台柱５３にポンプパイプ２３を収納して配置し、ポンプ操作レバー６２によって操作によってポンプパイプ２３をストロークさせる。
【００３８】
（他の吐出ノズルの構成）
他の吐出ノズルの構成を、図１４乃至図２４に基づいて説明する。図１乃至図６の実施の形態と同じ構成は、同じ符号を付して説明を省略する。図１４の実施の形態では、吐出ノズル３０の先端部３０ｃに吐出部３１を取替え可能にしており、吐出部３１は吐出孔３１ａの大きさ、形状、個数などを変化させたものと交換することで、液を噴霧、泡、放射、滴下などの状態にして吐出させることができる。
【００３９】
図１５の実施の形態は吐出ノズル３０の先端部３０ｃに吐出部３２を挿着した構成であり、吐出部３２は後側に係止鍔３２ａを有し、先端側にラッパ状部３２ｂを有し、係止鍔３２ａからラッパ状部３２ｂに亘り拡散溝３２ｃが形成されている。吐出ノズル３０の先端部３０ｃに吐出部３２を装着した状態では係止鍔３２ａが先端部３０ｃの凸部３０ｃ１に係止され、ラッパ状部３２ｂが先端部３０ｃから突出しており、液は拡散溝３２ｃにガイドされて放射状に拡散して吐出する。
【００４０】
図１６の実施の形態は図１５の実施の形態と同様に構成されるが、吐出部３２のラッパ状部３２ｂの拡散角度を大きくし、中心部に吐出孔３２ｄを設けたものであり、図１７の実施の形態はラッパ状部３２ｂに延長部３２ｂ１を形成したものである。図１６の実施の形態では拡散範囲が広がり、図１７の実施の形態ではラッパ状部３２ｂの拡散角度と延長部３２ｂ１の長さによって拡散された塗布範囲が定まり、相当広範囲まで塗布することができる。
【００４１】
図１８の実施の形態は図１８（ａ）に吐出部の側面を示し、図１８（ｂ）に吐出部の平面を示し、吐出ノズル３０の先端部３０ｃに吐出部３３を組み付け、吐出部３３には棒状部３３ａが２輪の円上に複数個設けられており、棒状部３３ａの吐出孔３３ａ１から液が吐出し、棒状部３３ａにより塗布することができる。棒状部３３ａは丸棒でも円錐棒でもよい。
【００４２】
図１９の実施の形態は図１９（ａ）に吐出部の側面を示し、図１９（ｂ）に吐出部の平面を示し、図１９（ｃ）に吐出部の側面を示し、吐出ノズル３０の先端部３０ｃに吐出部３４を組み付け、吐出部３４には棒状部３４ａが先端側から見て１輪の円上に複数個設けられており、複数の棒状部３４ａの間に形成された吐出孔３４ｂから液が吐出することで、相当広範囲まで塗布することができる。棒状部３４ａは櫛、ブラシ、コームなどである。図２０の実施の形態は図１９の実施の形態と同様に構成されるが、この実施の形態では吐出部３４に棒状部３４ａが先端側から見て３輪の円上に複数個設けられている。
【００４３】
図２１の実施の形態は吐出ノズル３０の先端部３０ｃに吐出部３５を組み付けたものであり、この吐出部３５はゴムまたは樹脂で形成される。図２１（ｂ）の実施の形態は吐出部の側面と平面を示し、吐出部３５には４個の塗布べろ３５ａが広がるように延びており、塗布べろ３５ａの間に形成された溝部３５ｂから吐出する液が拡散され、塗布べろ３５ａによって塗布される。図２１（ｂ）の実施の形態は吐出部の側面と平面を示し、吐出部３５には４個の塗布べろ３５ｃが真っ直ぐ延びており、塗布べろ３５ｃの間に形成された溝部３５ｄから吐出する液が拡散され、塗布べろ３５ｃによって塗布される。図２１（ｃ）の実施の形態は吐出部の側面と平面を示し、吐出部３５は円錐状に形成され、この吐出部３５に３箇所に形成された吐出孔３５ｅから液が拡散されて吐出する。図２１の実施の形態では吐出する液が拡散されるが、この吐出する液を射出、噴霧、摘出、泡出するように構成することができる。
【００４４】
図２２の実施の形態は図２２（ａ）は吐出部の側面を示し、図２２（ｂ）は吐出部の断面を示し、図２２（ｃ）は吐出部の分解を示し、吐出ノズル３０の先端部３０ｃに吐出部３６を組み付けたものであり、この吐出部３６はゴムまたは樹脂で形成される。吐出部３６には４個の液拡散溝３６ａが先端から所定距離Ｌの位置に延びるように形成されており、この液拡散溝３６ａによって吐出する液が拡散される。この所定距離Ｌの位置と溝の傾斜角度によって液拡散溝３６ａから吐出する液が拡散する範囲が決定され、溝の傾斜角度か一定で所定距離Ｌを短くすると拡散範囲が狭くなり、所定距離Ｌを長くすると拡散範囲が広くなり、一方所定距離Ｌが一定で溝の傾斜角度を小さくすると拡散範囲が狭くなり、傾斜角度を大きくすると拡散範囲が広くなる。
【００４５】
図２３の実施の形態は吐出ノズル３０の先端部３０ｃに吐出部３７を組み付けたものであり、この吐出部３７はゴムまたは樹脂で形成される。吐出部３７には複数個の吐出孔３７ａが先端から所定距離Ｌの側部位置に開口されており、この吐出孔３７ａによって吐出する液が拡散される。吐出孔３７ａは吐出部３７の中央位置にも形成してもよく、また吐出部３７の形状は特に限定されず、例えばボール状でもよく、へら状でもよい。複数個の吐出孔３７ａの位置形状も特に限定されず、例えばランダムに形成され、複数個の吐出孔３７ａによって吐出する液が拡散されると共に、吐出部３７によって梳くなどして塗布することができる。
【００４６】
図２４の実施の形態は吐出ノズル３０の先端部３０ｃに吐出部３８を組み付けたものであり、この吐出部３８はゴムまたは樹脂で形成される。この実施の形態の吐出部３８には複数個の吐出パイプ３８ａが先端から所定距離Ｌの側部位置に開口して形成されており、この吐出パイプ３８ａによって吐出する液が拡散される。
【００４７】
（他の塗布部の構成）
他の塗布部の構成を、図２５乃至図２９に基づいて説明する。図１乃至図６の実施の形態と同じ構成は、同じ符号を付して説明を省略する。図２５の実施の形態では塗布台５２を円形状に形成し、塗布台５２の裏面側に組付部５２ｂを設け、この組付部５２ａを台柱５３に係合させて組み付ける。図２６の実施の形態は塗布台５２を楕円形状に形成したものであり、図２５の実施の形態と同様に構成され、この両実施の形態の塗布台５２は取替え可能になっている。
【００４８】
図２７の実施の形態では吐出ノズル３０が縦長で、複数個所に吐出孔３０ｆが形成されている。塗布台５２には吐出孔３０ｆに対応して大径孔５２ａが形成され、複数個所の吐出孔３０ｆから液が吐出する。図２８の実施の形態は図２７の実施の形態と同様に構成されるが、塗布台５２から縦長の吐出ノズル３０を突出させて複数個所の吐出孔３０ｇから液が吐出する構成である。
【００４９】
図２９の実施の形態では塗布台５２に吐出室７１が形成されており、この吐出室７１に吐出ノズル３０から液が供給される。吐出室７１には液を浸透する綿材７２が収納されており、この綿材７２から多孔質塗布棒７０に液が供給され、多孔質塗布棒７０により液を塗布する。多孔質塗布棒７０は液を浸み込ませて塗布するように多孔質材料で成形され、例えばアクリル繊維、ポリエステル繊維、ナイロン（登録商標）繊維、ビニロン繊維を原料とし、この原料を樹脂で固めたり、焼結させたりしたものが使用される。
【００５０】
（第２の実施の形態の液塗布用具の構成）
この実施の形態の液塗布用具は、図３０に示すように構成される。図３０（ａ）は液塗布用具の側面図、図３０（ｂ）は液塗布用具の塗布側から見た図、図３０（ｃ）は液塗布用具の使用状態を示す図である。
【００５１】
この実施の形態の液塗布用具１０１は容器本体１０２に貯留する液を吐出させて塗布するように構成され、液を吐出する吐出ノズル１０３と、容器本体１０２に貯留する液を吐出ノズル１０３から吐出させるポンプ１０４と、吐出ノズル１０３から吐出する液を塗布する塗布部１０５とを備えている。塗布部１０５は吐出ノズル１０４を中心として周囲に延びる複数本の可とう性材料で成形された刺激部１０６を有し、刺激部１０６には吸盤１０６ａが形成されている。
【００５２】
この実施の形態の液塗布用具１０１は例えば液を頭部に塗布する場合に容器本体１０２を持って塗布部１０５の刺激部１０６を頭部に被せ、吐出ノズル１０３を頭部に押し付けるとポンプ１０４が駆動して容器本体１０２の液が吐出ノズル１０３から吐出し頭部に拡散塗布される。押し付けを止めると液の吐出が停止され、再度の押し付けにより吐出ノズル１０３から吐出し頭部に拡散塗布され、この繰り返して刺激部１０６の吸盤１０６ａにより塗布箇所をマッサージすることができる。
【産業上の利用可能性】
【００５３】
この発明は、育毛剤や整髪料、洗浄剤、化粧剤、美容剤等の塗布液を毛髪や頭、顔の皮膚の必要とする場所へ適量塗布することのできる液塗布用具に適用でき、簡単な操作で、塗布液を毛髪や頭、顔の皮膚の必要とする場所へ十分かつ適量塗布することができる。
【符号の説明】
【００５４】
１  液塗布用具
１０  容器本体
２０  ポンプユニット
２１  ポンプ
２２  ポンプホース
２３  ポンプパイプ
２４  ポンプヘッド
２５  ポンプキャップ
２６  液通路
２７  操作ピン
３０  吐出ノズル
３０ａ  吐出通路
３０ａ１  吐出孔
３０ｃ  先端部
３１〜３８  吐出部
４０  調整リング
４１  調整凸部
５０  塗布部
５１  塗布部材
５２  塗布台
５３  台柱
６０  吐出パイプ
６１  支持ピン
６２  ポンプ操作レバー
６３  レバー支持支柱
７０  多孔質塗布棒
７１  吐出室
７２  綿材
１０１  液塗布用具
１０２  容器本体
１０３  吐出ノズル
１０４  ポンプ
１０５  塗布部
１０６  刺激部
Ａ  吐出ノズル移動手段
Ｂ  吐出液量調整手段
【図１】
2016059431.tif 000003
【図２】
2016059431.tif 000004
【図３】
2016059431.tif 000005
【図４】
2016059431.tif 000006
【図５】
2016059431.tif 000007
【図６】
2016059431.tif 000008
【図７】
2016059431.tif 000009
【図８】
2016059431.tif 000010
【図９】
2016059431.tif 000011
【図１０】
2016059431.tif 000012
【図１１】
2016059431.tif 000013
【図１２】
2016059431.tif 000014
【図１３】
2016059431.tif 000015
【図１４】
2016059431.tif 000016
【図１５】
2016059431.tif 000017
【図１６】
2016059431.tif 000018
【図１７】
2016059431.tif 000019
【図１８】
2016059431.tif 000020
【図１９】
2016059431.tif 000021
【図２０】
2016059431.tif 000022
【図２１】
2016059431.tif 000023
【図２２】
2016059431.tif 000024
【図２３】
2016059431.tif 000025
【図２４】
2016059431.tif 000026
【図２５】
2016059431.tif 000027
【図２６】
2016059431.tif 000028
【図２７】
2016059431.tif 000029
【図２８】
2016059431.tif 000030
【図２９】
2016059431.tif 000031
【図３０】
2016059431.tif 000032